(57)【要約】【課題】タイミング制御部とソースドライブＩＣが、一対のデータ伝送ラインを利用して両方向へデータを取り交わすことができる表示装置及びその駆動方法を提供する。【解決手段】データ線と走査線との交差領域に形成される画素らを含む表示パネル１０と、走査線に走査信号を供給する走査駆動部２０と、デジタルビデオデータをデータ電圧に変換してデータ線に供給する少なくとも一つのソースドライブＩＣ３１と、ソースドライブＩＣ３１にデジタルビデオデータを伝送し、走査駆動部２０とソースドライブＩＣ３１の駆動タイミングを制御するタイミング制御部４０を具備し、ソースドライブＩＣ３１の送信端子と受信端子は一対の伝送ラインを通じてタイミング制御部４０のいずれか一つの送信端子と受信端子とに接続される。【選択図】図２
2015161946.tif 000002
【特許請求の範囲】
【請求項１】
データ線と走査線との交差領域に形成される画素らを含む表示パネルと、
前記走査線に走査信号を供給する走査駆動部と、
デジタルビデオデータをデータ電圧に変換して前記データ線に供給する少なくとも一つのソースドライブＩＣと、
前記ソースドライブＩＣに前記デジタルビデオデータを伝送し、
前記走査駆動部と前記ソースドライブＩＣの駆動タイミングを制御するタイミング制御部を具備し、
前記ソースドライブＩＣの送信端子と受信端子は一対の伝送ラインを通じて前記タイミング制御部のいずれか一つの送信端子と受信端子とに接続されることを特徴とする表示装置。
【請求項２】
前記タイミング制御部は、あらかじめ定義されたプロトコルの第１伝送期間の間、前記一対の伝送ラインを通じて前記ソースドライブＩＣに前記デジタルビデオデータを伝送し、
前記ソースドライブＩＣは、前記プロトコルの第２伝送期間の間、前記一対の伝送ラインを通じて前記タイミング制御部に第１デジタルデータを伝送することを特徴とする請求項１に記載の表示装置。
【請求項３】
前記第１伝送期間は、データイネーブルフィールド、第１配列フィールド、第１データフィールド、及び第１伝送終了フィールドを含み、
前記タイミング制御部は、前記データイネーブルフィールドにデータイネーブル情報を伝送し、
前記第１配列フィールドに前記デジタルビデオデータの配列情報を伝送し、
前記第１データフィールドに前記デジタルビデオデータを伝送し、
前記第１伝送終了フィールドに前記デジタルビデオデータの伝送終了情報を伝送することを特徴とする請求項２に記載の表示装置。
【請求項４】
前記第２伝送期間は、第１トレーニングフィールド、同期化フィールド、第２配列フィールド、第２データフィールド、及び第２伝送終了フィールドを含み、
前記ソースドライブＩＣは、前記第１トレーニングフィールドに所定のクロックを伝送し、
前記同期化フィールドに複数のソースドライブＩＣを同期化するための同期クロックを伝送し、前記第２配列フィールドに前記第１デジタルデータの配列情報を伝送し、
前記第２データフィールドに前記第１デジタルデータを伝送し、
前記第２伝送終了フィールドに前記第１デジタルデータの伝送終了情報を伝送することを特徴とする請求項２に記載の表示装置。
【請求項５】
前記第２伝送期間は、前記第２データフィールドと前記第２伝送終了フィールドとの間に第３データフィールドをさらに含み、
前記ソースドライブＩＣは、前記第３データフィールドに第２デジタルデータを伝送することを特徴とする請求項４に記載の表示装置。
【請求項６】
前記表示パネルに形成されたセンシングラインを通じて前記表示パネルの画素らから所定のアナログ値をセンシングし、
前記アナログ値を前記第１デジタルデータに変換するアナログコンバータをさらに含むことを特徴とする請求項４に記載の表示装置。
【請求項７】
前記表示パネルに形成されたセンシングラインを通じて前記表示パネルに形成された少なくとも一つのセンサーから所定のアナログ値をセンシングし、
前記アナログ値を前記第１デジタルデータに変換するアナログコンバータをさらに含むことを特徴とする請求項４に記載の表示装置。
【請求項８】
前記ソースドライブＩＣと前記タイミング制御部は、前記プロトコルのブランク期間の間、前記一対の伝送ラインを通じて何らかのデータも伝送しないことを特徴とする請求項２に記載の表示装置。
【請求項９】
前記プロトコルのブランク期間は、第２トレーニングフィールド及び休止フィールドを含み、
前記タイミング制御部は、前記第２トレーニングフィールドに所定のクロックを前記ソースドライブＩＣに伝送し、
前記ソースドライブＩＣと前記タイミング制御部は、前記休止フィールドに休止することを特徴とする請求項８に記載の表示装置。
【請求項１０】
データ線と走査線との交差領域に形成される画素らを含む表示パネルを具備する表示装置の駆動方法において、
走査駆動部を利用して前記走査線に走査信号を供給する第１段階と、
少なくとも一つのソースドライブＩＣを利用してデジタルビデオデータをデータ電圧に変換して前記データ線に供給する第２段階と、
タイミング制御部を利用して前記ソースドライブＩＣに前記デジタルビデオデータを伝送し、前記走査駆動部と前記ソースドライブＩＣの駆動タイミングを制御する第３段階とを具備し、
前記ソースドライブＩＣの送信端子と受信端子は、一対の伝送ラインを通じて前記タイミング制御部のいずれか一つの送信端子と受信端子に接続されることを特徴とする表示装置の駆動方法。
【発明の詳細な説明】
【技術分野】
【０００１】
本発明は、表示装置及びその駆動方法に関する。
【背景技術】
【０００２】
情報化社会が発展するにつれて画像を表示するための表示装置に対する要求が多様な形態で増加している。このため、最近には、陰極線管（Ｃａｔｈｏｄｅ  Ｒａｙ  Ｔｕｂｅ）の短所である重さと体積を減らすことができる各種平板表示装置（Ｆｌａｔ  Ｐａｎｅｌ  Ｄｉｓｐｌａｙ、ＦＰＤ）が開発及び市販されている。例えば、 液晶表示装置（Ｌｉｑｕｉｄ  Ｃｒｙｓｔａｌ  Ｄｉｓｐｌａｙ：ＬＣＤ）、プラズマ表示パネル（Ｐｌａｓｍａ  Ｄｉｓｐｌａｙ  Ｐａｎｅｌ：ＰＤＰ）、及び有機電界発光表示装置（Ｏｒｇａｎｉｃ  Ｌｉｇｈｔ  ＥｍＩＴｔｉｎｇ  Ｄｉｓｐｌａｙ：ＯＬＥＤ）などが活用されている。
【０００３】
表示装置は、アクティブ領域に形成された多数の画素を含んで画像を表示する表示パネルと、表示パネルを駆動するための表示パネル駆動部とを含む。表示パネル駆動部は、表示パネルの画素らにデータ電圧を供給するソースドライブＩＣを含むデータ駆動部、データ電圧が供給される画素らを選択するために走査信号を供給する走査駆動部、及びデータ駆動部と走査駆動部の動作タイミングを制御するタイミング制御部を含む。
【０００４】
タイミング制御部は、少なくとも一対のデータ伝送ラインを利用してデータ駆動部のソースドライブＩＣそれぞれにデジタルビデオデータを伝送する。一方、ソースドライブＩＣは、所定のセンシングラインを通じて表示パネルの情報をセンシングすることができる。ソースドライブＩＣがセンシングした表示パネルの情報をタイミング制御部に伝送する場合、タイミング制御部は、表示パネルの情報を利用して表示パネルの状態を分析し、分析した結果に応じてデジタルビデオデータを変換することで、画質を改善することができる。
【０００５】
しかし、このためにはソースドライブＩＣが所定のデータをタイミング制御部に伝送するための他のデータ伝送ラインが必要である。また、他のデータ伝送ラインが加えられる場合、ノイズが増加して消費電力が増加するというような問題がある。また、他のデータ伝送ラインが加えられる場合、表示パネルの非表示領域の面積が広くなるというような問題がある。また、表示パネルの非表示領域の面積増加は、最近の趨勢である表示装置のスリム化を難しくする。
【発明の概要】
【発明が解決しようとする課題】
【０００６】
したがって、本発明は、上記の問題を解決するために案出されたもので、その目的は、タイミング制御部とソースドライブＩＣが、一対のデータ伝送ラインを利用して両方向へデータを取り交わすことができる表示装置及びその駆動方法を提供することである。
【課題を解決するための手段】
【０００７】
上記目的を果たすための本発明の一実施例による表示装置は、データ線と走査線との交差領域に形成される画素らを含む表示パネルと、前記走査線に走査信号を供給する走査駆動部と、デジタルビデオデータを前記データ電圧に変換して前記データ線に供給する少なくとも一つのソースドライブＩＣと、前記ソースドライブＩＣに前記デジタルビデオデータを伝送し、前記走査駆動部と前記ソースドライブＩＣの駆動タイミングを制御するタイミング制御部を具備し、前記ソースドライブＩＣの送信端子と受信端子は一対の伝送ラインを通じて前記タイミング制御部のいずれか一つの送信端子と受信端子とに接続されることを特徴とする。
【０００８】
また、本発明の実施例による表示装置の駆動方法は、データ線と走査線との交差領域に形成される画素らを含む表示パネルを具備する表示装置の駆動方法において、走査駆動部を利用して前記走査線に走査信号を供給する第１段階と、少なくとも一つのソースドライブＩＣを利用してデジタルビデオデータを前記データ電圧に変換して前記データ線に供給する第２段階と、タイミング制御部を利用して前記ソースドライブＩＣに前記デジタルビデオデータを伝送し、前記走査駆動部と前記ソースドライブＩＣの駆動タイミングを制御する第３段階と、を含み、前記ソースドライブＩＣの送信端子と受信端子は一対の伝送ラインを通じて前記タイミング制御部のいずれか一つの送信端子と受信端子に接続されることを特徴とする。
【発明の効果】
【０００９】
以上のように、本発明の実施例によれば、一つのプロトコルを時分割してタイミング制御部がソースドライブＩＣにデジタルビデオデータを伝送し、ソースドライブＩＣがタイミング制御部に第１デジタルデータを伝送することができるので、タイミング制御部とソースドライブＩＣが一対の伝送ラインを利用して高速で両方向へ第１デジタルデータを取り交わすことができるという功を奏する。また、本発明の実施例によれば、タイミング制御部が第１デジタルデータを分析して得られた結果に応じてデジタルビデオデータに所定のアルゴリズムを適用するので、画質を改善することができるという功を奏する。
【図面の簡単な説明】
【００１０】
【図１】本発明の実施例による表示装置を示すブロック図である。
【図２】図１のタイミング制御部とソースドライブＩＣとを詳しく示す図面である。
【図３】図２のいずれか一つのソースドライブＩＣの送信及び受信端子とそれらに接続されたタイミング制御部のいずれか一つの伝送端子及び受信端子を詳しく示す図面である。
【図４】表示装置に電源が印加された時、タイミング制御部のデジタルビデオデータとソースドライブＩＣのデータ伝送タイミングを示す図面である。
【図５】本発明の第１実施例によるプロトコルを示す図面である。
【図６】本発明の第２実施例によるプロトコルを示す図面である。
【発明を実施するための形態】
【００１１】
以下添付された図面を参照して本発明による好ましい実施例について詳しく説明する。明細書全体にかけて同一の参照番号は、実質的に同一の構成要素を意味する。以下の説明で、本発明に係わる公知機能あるいは構成についての具体的な説明が本発明の要旨を不要に不鮮明にすることがあると判断される場合、その詳細な説明を略する。以下の説明で使われる構成要素の名称は、明細書作成の容易さを考慮して選択されたものであり、実際製品の部品名称とは異なる場合がある。
【００１２】
図１は、本発明の実施例による表示装置を示すブロック図である。本発明の実施例による表示装置は、液晶表示装置、電界放出表示装置、プラズマディスプレイパネル、有機電界発光表示装置などの表示装置で具現することができる。本発明は以下の実施例では表示装置が有機電界発光表示装置で具現されたものを中心に例示したが、これに限定されるものではない。
【００１３】
図１を参照すれば、本発明の実施例による表示装置は、表示パネル１０、走査駆動部２０、データ駆動部３０、タイミング制御部４０などを含む。
【００１４】
表示パネル１０の下部基板にはデータ線Ｄ１〜Ｄｍ（ｍは２以上の自然数）と走査線Ｓ１〜Ｓｎ（ｎは２以上の自然数）が互いに交差するように形成される。表示パネル１０の下部基板にはデータ線Ｄ１〜Ｄｍと走査線Ｓ１〜Ｓｎとの交差領域にマトリックス形態で配置された画素Ｐらを含む画素アレイＰＡが形成される。
【００１５】
画素Ｐらそれぞれは、走査トランジスター、駆動トランジスター、有機発光ダイオード、及びキャパシターを含む。走査トランジスターは、第ｋ（ｋは１≦ｋ≦ｎを満足する自然数）走査線の走査信号に応答し、第ｊ（ｊは１≦ｊ≦ｍを満足する自然数）データ線のデータ電圧を画素Ｐに供給する。駆動トランジスターは、ゲート電極の電圧によってドレイン−ソース間の電流を有機発光ダイオードに供給する。有機発光ダイオードは、駆動トランジスターのドレイン−ソース間の電流によって発光する。キャパシターは、駆動トランジスターのゲート電極の電圧を所定の期間の間維持する。
【００１６】
また、表示パネル１０の下部基板には、データ線Ｄ１〜Ｄｍと並ぶようなセンシングラインがさらに形成されることができる。図１では、説明の便宜のためにセンシングラインを図示しなかったことに注意しなければならない。センシングラインそれぞれの一端は、データ駆動部３０のソースドライブＩＣに接続されることができる。
【００１７】
センシングラインそれぞれの他端は、画素Ｐらに接続されることができる。この場合、データ駆動部３０のソースドライブＩＣは、画素Ｐの有機発光ダイオードに流れる電流または駆動トランジスターのドレイン−ソース間電流などのアナログ値をセンシングラインを通じてセンシングすることができる。
【００１８】
また、センシングラインそれぞれの他端は、表示パネル１０に形成された少なくとも一つのセンサーに接続されることができる。センサーは、表示パネル１０内の温度を感知する温度センサー、圧力を感知する圧力センサー、表示パネル１０の勾配を感知する勾配センサーなどで具現されることができる。この場合、データ駆動部３０のソースドライブＩＣは、センサーから感知されたアナログ値をセンシングラインそれぞれを通じてセンシングすることができる。
【００１９】
走査駆動部２０は、タイミング制御部４０の走査タイミング制御信号ＳＣＳによって表示パネル１０の走査線Ｓ１〜Ｓｎそれぞれに走査信号を供給する。走査駆動部２０は、表示パネル１０の走査線Ｓ１〜Ｓｎに走査信号を順次に供給することができる。走査駆動部２０は、順次に出力信号を発生するシフトレジスター、シフトレジスターの出力信号を画素のトランジスター駆動に適するスイング幅に変換するためのレベルシフタ、及び出力バッファーなどを含むことができる。
【００２０】
走査駆動部２０は、図１のように画素アレイＰＡの一側面に形成されることができる。しかし、これに限定されず、走査駆動部２０は、画素アレイＰＡの両側面に形成されることもできる。走査駆動部２０は、ゲートドライブＩＣ（ｉｎｔｅｇｒａｔｅｄ  ｃｉｒｃｕＩＴ）らをＣＯＧ（ｃｈｉｐ  ｏｎ  ｇｌａｓｓ）工程で表示パネル１０の下部基板に接着されることができる。または、走査駆動部２０は、ＧＩＰ（Ｇａｔｅ  Ｄｒｉｖｅ  ＩＣ  ｉｎ  Ｐａｎｅｌ）方式で画素アレイＰＡと同時に表示パネル１０の下部基板に直接形成されることができる。
または、走査駆動部２０は、ＴＣＰ（ｔａｐｅ  ｃａｒｒｉｅｒ  ｐａｃｋａｇｅ）上に実装されることができ、ＴＡＢ（ｔａｐｅ  ａｕｔｏｍａｔｅｄ  ｂｏｎｄｉｎｇ）工程によって表示パネル１０の下部基板に接合されることができる。
【００２１】
データ駆動部３０は、少なくとも一つのソースドライブＩＣを含む。ソースドライブＩＣは、タイミング制御部４０からデジタルビデオデータＤＶＤとデータタイミング制御信号ＤＣＳの入力を受ける。ソースドライブＩＣは、タイミング制御部４０のデータタイミング制御信号ＤＣＳによってデジタルビデオデータＤＶＤをアナログデータ電圧に変換して表示パネル１０のデータ線Ｄ１〜Ｄｍに供給する。その結果、走査信号によって選択された画素らそれぞれにデータ電圧が供給される。
【００２２】
また、ソースドライブＩＣは、センシングラインそれぞれを通じてセンシングしたアナログ値を第１デジタルデータＤＤ１に変換するアナログデジタルコンバータを含むことができる。または、センシングラインそれぞれを通じてセンシングしたアナログ値を第１デジタルデータＤＤ１に変換するアナログデジタルコンバータが表示パネル１０に形成されることができる。この場合、アナログデジタルコンバータは、第１デジタルデータＤＤ１をソースドライブＩＣに供給する。
【００２３】
タイミング制御部４０は、ＬＶＤＳ（Ｌｏｗ  Ｖｏｌｔａｇｅ  Ｄｉｆｆｅｒｅｎｔｉａｌ  Ｓｉｇｎａｌｉｎｇ）インターフェース、ＴＭＤＳ（ＴＲＡＮＳＩＴｉｏｎ  Ｍｉｎｉｍｉｚｅｄ  Ｄｉｆｆｅｒｅｎｔｉａｌ  Ｓｉｇｎａｌｉｎｇ）インターフェースなどのインターフェースを通じてホストシステム（図示せず）からデジタルビデオデータＤＶＤの入力を受ける。また、タイミング制御部４０は、垂直同期信号、水平同期信号、データイネーブル信号、ドットクロックなどを含むタイミング信号の入力を受ける。
【００２４】
タイミング制御部４０は、タイミング信号に基づいてデータ駆動部３０の動作タイミングを制御するためのデータタイミング制御信号ＤＣＳと、走査駆動部２０の動作タイミングを制御するための走査タイミング制御信号ＳＣＳとを発生する。タイミング制御部４０は、走査タイミング制御信号ＳＣＳを走査駆動部２０に出力する。タイミング制御部４０は、デジタルビデオデータＤＶＤとデータタイミング制御信号ＤＣＳとをデータ駆動部３０に出力する。
【００２５】
タイミング制御部４０は、ソースドライブＩＣ３１から第１デジタルデータＤＤ１の供給を受ける。第１デジタルデータＤＤ１は、画素Ｐの有機発光ダイオードに流れる電流または駆動トランジスターのドレイン−ソース間の電流、表示パネル１０内の温度、表示パネル１０に加えられる圧力、表示パネル１０の勾配程度などについての情報を含むことができる。この場合、タイミング制御部４０は、第１デジタルデータＤＤ１を分析して得られた結果に応じてデジタルビデオデータＤＶＤに所定のアルゴリズムを適用することができる。その結果、本発明の実施例は画質を改善することができる。
【００２６】
図２は、図１のタイミング制御部とソースドライブＩＣとを詳しく示す図面である。図２では、説明の便宜のためにソースドライブＩＣ３１らそれぞれに接続されたデータ線Ｄ１〜Ｄｍを省略した。また、図２では、データ駆動部３０が８個のソースドライブＩＣらを含むことを例示したが、これに限定されず、データ駆動部３０は、少なくとも一つのソースドライブＩＣを含むことができる。また、図２では、デジタルビデオデータＤＶＤが伝送されるデータ伝送ラインのみを例示しており、データタイミング制御信号ＤＣＳが伝送される信号ラインは省略した。
【００２７】
図２を参照すれば、ソースドライブＩＣ３１は、軟性フィルムＦＦ上に実装される。軟性フィルムＦＦは、ＣＯＦ（ｃｈｉｐ  ｏｎ  ｆｉｌｍ）であり得る。軟性フィルムＦＦは、表示パネル１０の下部基板とソース印刷回路ボード（ｓｏｕｒｃｅ  ｐｒｉｎｔｅｄ  ｃｉｒｃｕＩＴ  ｂｏａｒｄ、ＳＰＣＢ）に接着されることができる。一方、図２では、ソースドライブＩＣ３１が軟性フィルムＦＦ上に実装されたことを中心に説明したが、これに限定されるものではない。すなわち、ソースドライブＩＣ３１は、ＣＯＧ工程で表示パネル１０の下部基板に直接接着されることもできる。
【００２８】
タイミング制御部４０は、コントロール印刷回路ボード（ｃｏｎｔｒｏｌｐｒｉｎｔｅｄ  ｃｉｒｃｕＩＴ  ｂｏａｒｄ、ＣＰＣＢ）上に実装される。コントロール印刷回路ボードＣＰＣＢは、軟性ケーブルＦＣを通じてソース印刷回路ボードＳＰＣＢに連結される。軟性ケーブルＦＣは、軟性印刷回路（ｆｌｅｘｉｂｌｅ  ｐｒｉｎｔｅｄ  ｃｉｒｃｕＩＴ、ＦＰＣ）であり得る。
【００２９】
タイミング制御部４０は、ソースドライブＩＣ３１と一対の伝送ラインＰＴＬを通じて接続される。一対の伝送ラインＰＴＬは第１及び第２伝送ラインＴＬ１、ＴＬ２を含む。一対の伝送ラインＰＴＬの一端は、いずれか一つのソースドライブＩＣ３０の送信及び受信端子に接続され、軟性フィルムＦＦ、ソース印刷回路ボードＳＰＣＢ、軟性ケーブルＦＣ、コントロール印刷回路ボードＣＰＣＢを経由し、他端はタイミング制御部４０のいずれか一つの送信及び受信端子に接続される。
【００３０】
タイミング制御部４０は、ソースドライブＩＣ３１の個数だけの一対の伝送ラインＰＴＬを含む。例えば、図２のように８個のソースドライブＩＣ３１らとタイミング制御部４０を接続するためには、８個の一対の伝送ラインＰＴＬらが必要である。このために、タイミング制御部４０は、８個の一対の伝送ラインＰＴＬらと接続される８個の送信及び受信端子を必要とする。
【００３１】
以下では、図３を結付して、いずれか一つのソースドライブＩＣの送信及び受信端子とそれらに接続されたタイミング制御部４０のいずれか一つの送信及び受信端子について詳しく説明する。
【００３２】
図３は、図２のいずれか一つのソースドライブＩＣの送信及び受信端子と、それらに接続されたタイミング制御部のいずれか一つの送信及び受信端子とを詳しく示す図面である。図３では、説明の便宜のためにいずれか一つのソースドライブＩＣ３１の送信端子Ｔｘ１と受信端子Ｒｘ１、タイミング制御部４０のいずれか一つの送信端子Ｔｘ２と受信端子Ｒｘ２、及びそれらに接続された一対の伝送ラインＰＴＬのみを図示した。
【００３３】
図３を参照すれば、一対の伝送ラインＰＴＬの第１伝送ラインＴＬ１の一端は、ソースドライブＩＣ３１の送信端子Ｔｘ１と受信端子Ｒｘ１に接続され、他端はタイミング制御部４０のいずれか一つの送信端子Ｔｘ２と受信端子Ｒｘ２に接続される。また、一対の伝送ラインＰＴＬの第２伝送ラインＴＬ２の一端は、ソースドライブＩＣ３１の送信端子Ｔｘ１と受信端子Ｒｘ１に接続され、他端はタイミング制御部４０のいずれか一つの送信端子Ｔｘ２と受信端子Ｒｘ２に接続される。
【００３４】
タイミング制御部４０は、その送信端子Ｔｘ２を利用して一対の伝送ラインＰＴＬを通じてデジタルビデオデータＤＶＤをソースドライブＩＣ３１に送信することができる。ソースドライブＩＣ３１は、その受信端子Ｒｘ１を利用して一対の伝送ラインＰＴＬを通じてデジタルビデオデータＤＶＤをタイミング制御部４０から受信することができる。
【００３５】
また、ソースドライブＩＣ３１は、その送信端子Ｔｘ１を利用して一対の伝送ラインＰＴＬを通じて第１デジタルデータＤＤ１をタイミング制御部４０に送信することができる。タイミング制御部４０は、その受信端子Ｒｘ２を利用して一対の伝送ラインＰＴＬを通じて第１デジタルデータＤＤ１をソースドライブＩＣ３１から受信することができる。すなわち、本発明の実施例は、一対の伝送ラインＰＴＬを利用することで、デジタルビデオデータＤＶＤをタイミング制御部４０からソースドライブＩＣ３１に伝送するだけでなく、第１デジタルデータＤＤ１をソースドライブＩＣ３１からタイミング制御部４０に伝送することができる。
【００３６】
すなわち、本発明の実施例は、タイミング制御部とソースドライブＩＣが一対のデータ伝送ラインを利用して両方向へデータを取り交わすことができる。しかし、このためには、本発明の実施例は、デジタルビデオデータＤＶＤをタイミング制御部４０からソースドライブＩＣ３１に伝送する期間と、第１デジタルデータＤＤ１をソースドライブＩＣ３１からタイミング制御部４０に伝送する期間とを時分割しなければならない。以下では、図４ないし図６を結付してこれについて詳しく説明する。
【００３７】
図４は、表示装置に電源が印加された時、タイミング制御部のデジタルビデオデータとソースドライブＩＣのデータ伝送タイミングを示す図面である。図４を参照すれば、表示装置に電源が印加されれば、初期トレーニング期間ＩＴがあった後、フレーム期間（ｆｒａｍｅ  ｐｅｒｉｏｄ、ＦＲ）、及びバーチカルブランク期間（ｖｅｒｔｉｃａｌ  ｂｌａｎｋ  ｉｎｔｅｒｖａｌ、ＶＢＩ）が繰り返される。
【００３８】
まず、タイミング制御部４０は、初期トレーニング期間ＩＴの間、一対のデータ伝送ラインＰＴＬを通じてソースドライブＩＣ３１に所定のクロックを供給する。タイミング制御部４０は、一対の伝送ラインＰＴＬを利用して高速でデジタルビデオデータＤＶＤを伝送するために所定のクロックとデジタルビデオデータＤＶＤを同一のレベルでソースドライブＩＣ３１に伝送することができる。この場合、ソースドライブＩＣ３１は、所定のクロックとデジタルビデオデータＤＶＤとを区分するためのＣＤＲ（ｃｌｏｃｋ  ａｎｄ  ｄａｔａ  ｒｅｃｏｖｅｒｙ）機能を遂行する。初期トレーニング期間ＩＴは、このようなＣＤＲ機能を遂行するためにタイミング制御部４０が所定のクロックをソースドライブＩＣ３１に供給する期間である。
【００３９】
その後、タイミング制御部４０はフレーム期間の間、デジタルビデオデータＤＶＤと一対の伝送ラインＰＴＬを通じてソースドライブＩＣ３１に伝送する。また、ソースドライブＩＣ３１は、フレーム期間の間第１デジタルデータＤＤ１を一対の伝送ラインＰＴＬを通じてタイミング制御部４０に伝送する。すなわち、ソースドライブＩＣ３１とタイミング制御部４０は、所定のプロトコルによって両方向へデジタルデータを伝送する。前記プロトコルについての詳しい説明は図５及び図６を結付して後述する。
【００４０】
その後、タイミング制御部４０はバーチカルブランク期間の間、デジタルビデオデータＤＶＤを一対の伝送ラインＰＴＬを通じてソースドライブＩＣ３１に伝送しない。また、ソースドライブＩＣ３１は、バーチカルブランク期間の間、第１デジタルデータＤＤ１を一対の伝送ラインＰＴＬを通じてタイミング制御部４０に伝送しない。すなわち、ソースドライブＩＣとタイミング制御部４０は、バーチカルブランク期間の間、互いに何らかのデジタルデータを伝送しない。
【００４１】
以上、調べたように、本発明の実施例によるタイミング制御部とソースドライブＩＣは、フレーム期間の間プロトコルによって一対のデータ伝送ラインを利用して両方向へデータを取り交わすことができる。以下では、図５及び図６を結付して本発明の実施例によるプロトコルについて詳しく説明する。
【００４２】
図５は、本発明の第１実施例によるプロトコルの一例を示す図面である。図５を参照すれば、プロトコルは、第１伝送期間ＴＲＡＮＳ１、第２伝送期間ＴＲＡＮＳ２、及びブランク期間ＶＢＩに分割されることができる。第１伝送期間ＴＲＡＮＳ１は、一対の伝送ラインＰＴＬを通じてタイミング制御部４０がソースドライブＩＣ３１にデータを伝送する期間を意味する。第２伝送期間ＴＲＡＮＳ２は、一対の伝送ラインＰＴＬを通じてソースドライブＩＣ３１がタイミング制御部４０にデータを伝送する期間を意味する。ブランク期間ＶＢＩは、一対の伝送ラインＰＴＬを通じてデータを伝送しない休止期間を意味する。
【００４３】
第１伝送期間ＴＲＡＮＳ１は、データイネーブルフィールド（ｄａｔａ  ｅｎａｂｌｅ  ｆｉｅｌｄ、ＤＥ）、第１配列フィールドＣｏｎｆｉｇ１、第１データフィールドＤＶＤ、第１伝送終了フィールドＳｅ１を含む。タイミング制御部４０は、データイネーブルフィールドＤＥにデータイネーブル情報を伝送する。タイミング制御部４０は、第１配列フィールドＣｏｎｆｉｇ１にデジタルビデオデータＤＶＤの配列情報を伝送する。タイミング制御部４０は、第１データフィールドＤＦ１にデジタルビデオデータＤＶＤを伝送する。デジタルビデオデータＤＶＤは、８ないし１０ビットで伝送されることができるが、これに限定されるものではない。タイミング制御部４０は、第１伝送終了フィールドＳｅ１にデジタルビデオデータＤＶＤの伝送終了情報を伝送する。
【００４４】
第２伝送期間ＴＲＡＮＳ２は、第１トレーニングフィールドTR１、同期化フィールドＳＦ、第２配列フィールドＣｏｎｆｉｇ２、第２データフィールドＤＤ１、第２伝送終了フィールドＳｅ２を含む。ソースドライブＩＣ３１は、タイミング制御部４０に第１デジタルデータＤＤ１の伝送を知らせるために、タイミング制御部４０に第１デジタルデータＤＤ１を伝送する前に、第１トレーニングフィールドＴＲ１に所定のクロックを伝送する。ソースドライブＩＣ３１は、データ駆動部３０が複数のソースドライブＩＣ３１らを具備する場合、同期化フィールドＳＦに複数のソースドライブＩＣ３１らを同期化するための同期クロックを伝送する。ソースドライブＩＣ３１は、第２配列フィールドＣｏｎｆｉｇ２に第１デジタルデータＤＤ１の配列情報を伝送する。ソースドライブＩＣ３１は、第２データフィールドＤＦ２に第１デジタルデータＤＤ１を伝送する。ソースドライブＩＣ３１は、第２伝送終了フィールドＳｅ２に第１デジタルデータＤＤ１の伝送終了情報を伝送する。
【００４５】
ブランク期間ＶＢＩは、第２トレーニングフィールドＴＲ２と休止フィールドＨＢＰを含む。タイミング制御部４０は、ソースドライブＩＣ３１にデジタルビデオデータＤＶＤの伝送を知らせるために、ソースドライブＩＣ３１にデジタルビデオデータＤＶＤを伝送する前に、第２トレーニングフィールドＴＲ２に所定のクロックを伝送する。タイミング制御部４０は、ブランク期間ＶＢＩの第２トレーニングフィールドＴＲ２に所定のクロックを伝送することで、その次のフレーム期間の第１伝送期間ＴＲＡＮＳ１にトレーニングフィールドなしにデジタルビデオデータＤＶＤを伝送することができる。休止フィールドＨＢＰは、休止期間にあたる。
【００４６】
以上、調べたように、本発明の実施例によれば、一つのプロトコル内でタイミング制御部４０がソースドライブＩＣ３１にデジタルビデオデータＤＶＤを伝送し、ソースドライブＩＣ３１がタイミング制御部４０に第１デジタルデータＤＤ１を伝送することができる。その結果、本発明の実施例によれば、タイミング制御部４０とソースドライブＩＣ３１が一対の伝送ラインを利用して高速で両方向へデジタルデータを取り交わすことができる。すなわち、本発明の実施例によれば、デジタルビデオデータＤＶＤが伝送される一対の伝送ラインの外にまた他の伝送ラインを追加しなくともタイミング制御部４０とソースドライブＩＣ３１が高速で両方向へデジタルデータを取り交わすことができる。
【００４７】
また、本発明の実施例によれば、タイミング制御部４０が第１デジタルデータＤＤ１を分析して得られた結果に応じてデジタルビデオデータＤＶＤに所定のアルゴリズムを適用して画質を改善することができる。
【００４８】
図６は、本発明の第２実施例によるプロトコルを示す図面である。図６を参照すれば、プロトコルは、第１伝送期間ＴＲＡＮＳ１、第２伝送期間ＴＲＡＮＳ２、及びブランク期間ＶＢＩに分割されることができる。本発明の第２実施例によるプロトコルの第１伝送期間ＴＲＡＮＳ１とブランク期間ＶＢＩは、図５を結付して説明した本発明の第１実施例によるプロトコルの第１伝送期間ＴＲＡＮＳ１とブランク期間ＶＢＩと実質的に同一に具現されることができる。したがって、本発明の第２実施例によるプロトコルの第１伝送期間ＴＲＡＮＳ１とブランク期間ＶＢＩについての詳しい説明は省略する。
【００４９】
第２伝送期間ＴＲＡＮＳ２は、第１トレーニングフィールドＴＲ１、同期化フィールドＳＦ、第２配列フィールドＣｏｎｆｉｇ２、第２データフィールドＤＤ１、第３データフィールドＤＤ２、第２伝送終了フィールドＳｅ２を含む。ソースドライブＩＣ３１は、タイミング制御部４０に第１及び第２デジタルデータＤＤ１、ＤＤ２の伝送を知らせるために、タイミング制御部４０に第１及び第２デジタルデータＤＤ１、ＤＤ２を伝送する前に、第１トレーニングフィールドＴＲ１に所定のクロックを伝送する。
【００５０】
ソースドライブＩＣ３１は、データ駆動部３０が複数のソースドライブＩＣ３１らを具備する場合、同期化フィールドＳＦに複数のソースドライブＩＣ３１らを同期化するための同期クロックを伝送する。ソースドライブＩＣ３１は、第２配列フィールドＣｏｎｆｉｇ２に第１及び第２デジタルデータＤＤ１、ＤＤ２の配列情報を伝送する。ソースドライブＩＣ３１は、第２データフィールドＤＦ２に第１デジタルデータＤＤ１を伝送する。ソースドライブＩＣ３１は、第３データフィールドＤＦ３に第２デジタルデータ通信ＤＤ２を伝送する。ソースドライブＩＣ３１が第３データフィールドＤＦ３に伝送すべき第２デジタルデータ通信ＤＤ２が存在しない場合、第３データフィールドDF３は、休止期間であり得る。ソースドライブＩＣ３１は、第２伝送終了フィールドＳｅ２に第１及び第２デジタルデータＤＤ１、ＤＤ２の伝送終了情報を伝送する。
【００５１】
以上、調べたように、本発明の実施例は、一つのプロトコル内でタイミング制御部４０がソースドライブＩＣ３１にデジタルビデオデータＤＶＤを伝送し、ソースドライブＩＣ３１がタイミング制御部４０に第１及び第２デジタルデータＤＤ１、ＤＤ２を伝送することができる。すなわち、本発明の実施例は、プロトコルの第２伝送期間ＴＲＡＮＳ２に複数のデジタルデータＤＤ１、ＤＤ２を伝送することができる。その結果、本発明の実施例は、タイミング制御部４０が一つのデジタルデータではない複数のデジタルデータＤＤ１、ＤＤ２を分析して得られた結果に応じてデジタルビデオデータＤＶＤに所定のアルゴリズムを適用することができるので、本発明の第１実施例より画質を改善することができる。
【００５２】
以上、説明したように、本発明の属する技術分野における通常の知識を有する者は、本発明がその技術的思想や必須的特徴を変更しなくとも他の具体的な形態で実施することができるということを理解できるであろう。よって、以上より記述した実施例等はすべての面から例示的なもので、限定的ではないものとして理解しなければならない。また、本発明の範囲は、上記詳細な説明よりは後述する特許請求の範囲によって示され、特許請求の範囲の意味及び範囲、そしてその均等概念から導出されるすべての変更または変形された形態が本発明の範囲に含まれるものと解釈されなければならない。
【符号の説明】
【００５３】
１０  表示パネル
２０  走査駆動部
３０  データ駆動部
３１  ソースドライブＩＣ
４０  タイミング制御部
【図１】
2015161946.tif 000003
【図２】
2015161946.tif 000004
【図３】
2015161946.tif 000005
【図４】
2015161946.tif 000006
【図５】
2015161946.tif 000007
【図６】
2015161946.tif 000008